(57)【特許請求の範囲】
【請求項１】
車体の車幅方向外側の端部に沿って車体前後方向に延設されたサイドシルを備えた車体下部構造において、
前記サイドシルは、当該サイドシルの前端部に設けられ、車両が衝突した際に、衝突荷重を受けて潰れることで前記衝突荷重を吸収する潰し領域と、
前記潰し領域の後方の前記サイドシル内に配置されたバルクヘッドと、を備え、
前記サイドシルの車室側の側面には、一端を、前記サイドシル内の前記バルクヘッドの設置箇所の車室内側の外面に結合して車幅方向の内側且つ後方に傾斜して設け、他端を、フロアフレームに結合した補強フレームを有し、
前記潰し領域には、車体上下方向の荷重に対して強く、車体前後方向の荷重に対して弱いジャッキアップ補強プレートが設けられ、
前記ジャッキアップ補強プレートには、前輪の中心と略同一の高さに位置し車体前後方向に延在する変形部材が一体に設けられることを特徴とする車体下部構造。
【請求項２】
前記サイドシルは、車体内側に配置されたサイドシルインナを有し、
前記サイドシルインナには、前記変形部材の変形を抑制する変形抑制部材が設けられることを特徴とする請求項１記載の車体下部構造。
【請求項３】
前記サイドシルの前端の前記サイドシルインナには、ダッシュボードクロスメンバが結合されることを特徴とする請求項２記載の車体下部構造。
【請求項４】
前記ジャッキアップ補強プレートの側面に前記変形部材である折り曲げプレートを結合し、前記ジャッキアップ補強プレートと前記折り曲げプレートとの間で車体前後方向に延在し一定断面からなる閉断面を形成し、
前記ジャッキアップ補強プレートの上端をフロントピラインナの下端に結合し、前記ジャッキアップ補強プレートの下端を前記サイドシルインナの下フランジに結合することを特徴とする請求項２又は請求項３記載の車体下部構造。
【請求項５】
前記変形部材は、ハット断面であることを特徴とする請求項４記載の車体下部構造。
【発明の詳細な説明】
【技術分野】
【０００１】
本発明は、車体下部構造に関し、特に、対向車等の衝突物が、車両の前方端の右側又は左側にずれて、対向車等の衝突物のフロントサイドフレーム等の硬い構造物が車体のサイドシル前端と衝突するような僅かにすれ違うような状態で衝突する、所謂、ナローオフセット衝突した際の衝突荷重の吸収性を向上させることが可能な車体下部構造に関する。
【背景技術】
【０００２】
例えば、特許文献１には、車両が対向車等の衝突物と衝突した際、衝突荷重を分散させて車体の強度を高めることにより、車体が変形するのを抑制することができる、とする車体前部構造が開示されている。
【０００３】
図９は、特許文献１に示す車両がナローオフセット衝突したときの衝突荷重が負荷される状態を示す車体の概略平面図、図１０は、特許文献１に示す車両がナローオフセット衝突したときのドアの状態を示す車両の要部左側面図である。
【０００４】
図９に示されるように、特許文献１に開示された車体構造では、車体の強度を向上させるために、サイドシル１００の前端部から後方且つ車幅方向内方に傾斜したダイアゴナルメンバ５００が設けられている。このダイアゴナルメンバ５００は、サイドシル１００とサイドメンバアウトサイド２００との連結隅部と、フロアフレーム３００（センタメンバ）とフロアクロスメンバ４００との連結隅部との間を連結している。
【先行技術文献】
【特許文献】
【０００５】
【特許文献１】特開２００３−２３７６３６号公報
【発明の概要】
【発明が解決しようとする課題】
【０００６】
しかしながら、図９に示される車体構造では、例えば、対向車Ｃ２等の衝突物がフロントサイドフレーム６００よりも車幅方向の外側の位置でナローオフセット衝突したとき、サイドシル１００の前端に衝突荷重Ｆが付与されるため、ダイアゴナルメンバ５００でサイドシル１００に負荷される荷重を減少させても、前突荷重の方向のサイドシル１００に対して大きな荷重が付与される。このため、サイドシル１００は、図９の二点鎖線で示されるサイドシル１００Ａのように略く字状に折れ曲がって、長さＬ１００だけ圧縮された状態に変形する。
【０００７】
この場合、図１０に示されるように、サイドシル１００の前端の上部に連結されているフロントピラ７００も、サイドシル１００の変形に伴って車体後方側へ移動している。このため、フロントピラ７００に設けられているドア８００の前側取付部７１０が後方に移動し、ドア８００が開け難くなる場合がある。
【０００８】
また、図９に示すダイアゴナルメンバ５００を備えていない車両の場合は、前輪Ｔが後退しながら車室側へ入っていくため、図９の二点鎖線で示されるサイドシル１００Ｂのように車室内側へ向けて折れ曲がって車室形状が変形するおそれがある。
【０００９】
本発明は、前記の点に鑑みてなされたものであり、ナローオフセット衝突した際の衝突荷重の吸収性をより一層向上させることが可能な車体下部構造を提供することを目的とする。
【課題を解決するための手段】
【００１０】
前記の目的を達成するために、本発明は、車体の車幅方向外側の端部に沿って車体前後方向に延設されたサイドシルを備えた車体下部構造において、前記サイドシルは、当該サイドシルの前端部に設けられ、車両が衝突した際に、衝突荷重を受けて潰れることで前記衝突荷重を吸収する潰し領域と、前記潰し領域の後方の前記サイドシル内に配置されたバルクヘッドと、を備え、前記サイドシルの車室側の側面には、一端を、前記サイドシル内の前記バルクヘッドの設置箇所の車室内側の外面に結合して車幅方向の内側且つ後方に傾斜して設け、他端を、フロアフレームに結合した補強フレームを有し、前記潰し領域には、車体上下方向の荷重に対して強く、車体前後方向の荷重に対して弱いジャッキアップ補強プレートが設けられ、前記ジャッキアップ補強プレートには、前輪の中心と略同一の高さに位置し車体前後方向に延在する変形部材が一体に設けられることを特徴とする。
【００１１】
本発明によれば、衝突荷重を吸収する潰し領域がバルクヘッドの前方に位置し、車両がナローオフセット衝突した際、前輪の後方端面により変形部材が先に曲げ変形して衝突エネルギを吸収し、次いで車輪の後方端面を除く後面によりジャッキアップ補強プレートが変形する。このため、本発明では、変形部材で衝突エネルギを吸収する分だけ従来と比較して衝突エネルギの吸収量を増加させつつ、潰し領域よりも後方の変形を抑制することができる。
【００１２】
また、本発明は、サイドシルが、車体内側に配置されたサイドシルインナを有し、サイドシルインナに変形部材の変形を抑制する変形抑制部材が設けられるとよい。このように構成することにより、変形部材の車室内側への曲げ変形を抑制することができる。
【００１３】
さらに、本発明は、サイドシルの前端のサイドシルインナに、ダッシュボードクロスメンバが結合されるとよい。ナローオフセット衝突時において、ダッシュボードクロスメンバによって前輪の車室内側への進入量を減少させることができる。
【００１４】
さらにまた、本発明は、ジャッキアップ補強プレートの側面に変形部材である折り曲げプレートを結合し、ジャッキアップ補強プレートと折り曲げプレートとの間で車体前後方向に延在し一定断面からなる閉断面を形成し、ジャッキアップ補強プレートの上端をフロントピラインナの下端に結合し、ジャッキアップ補強プレートの下端をサイドシルインナの下フランジに結合するとよい。
【００１５】
このように構成することにより、フロントピラインナの下端とサイドシルの前端とによって構成される角部に潰し領域を形成し、ナローオフセット衝突時にジャッキアップ補強プレートと変形部材とが一体に曲げ変形して衝突エネルギの吸収量を増加させることができる。
【００１６】
さらにまた、変形部材をハット断面とすることにより、ジャッキアップ補強プレートの上下方向と前後方向との間で強弱差をつけることができ、衝突エネルギ吸収性能と軽量化とジャッキアップ機能とを両立させることができる。
【発明の効果】
【００１７】
本発明では、ナローオフセット衝突した際の衝突荷重の吸収性をより一層向上させることが可能な車体下部構造を得ることができる。
【図面の簡単な説明】
【００１８】
【図１】本発明の実施形態に係る車体下部構造が適用された車体前部の斜視図である。
【図２】図１に示す車体前部の左側サイドシルを含む部分拡大斜視図である。
【図３】図２に示す左側サイドシルからサイドシルインナを取り外した状態の部分拡大斜視図である。
【図４】左前方からみた車体前部の一部切欠斜視図である。
【図５】図４に示すサイドシルの前端部の部分拡大斜視図である。
【図６】図５のＩＶ−ＩＶ線に沿った端面図である。
【図７】（ａ）は、本実施形態に係る車体下部構造が適用された車両が、電柱に対してナローオフセット衝突したときの初期状態を示す斜視図、（ｂ）は、前記車両がナローオフセット衝突したときの後期状態を示す斜視図である。
【図８】本実施形態に係る車体下部構造が適用された車両において、ナローオフセット衝突時にジャッキアップ補強プレートよりも先に変形部材が変形する状態を示す斜視図である。
【図９】特許文献１に示す車両がナローオフセット衝突したときの衝突荷重が負荷される状態を示す車体の概略平面図である。
【図１０】特許文献１に示す車両がナローオフセット衝突したときのドアの状態を示す車両の要部左側面図である。
【発明を実施するための形態】
【００１９】
次に、本発明の実施形態について、適宜図面を参照しながら詳細に説明する。なお、各図中に矢印で示される、「前後」及び「上下」は、車体前後方向及び車体上下方向を示し、「左右」は、運転席から見た左右方向（車幅方向）をそれぞれ示している。また、縦断面とは、垂直断面をいう。
【００２０】
図１に示されるように車両Ｃ１は、車体前部１ａに配置される動力搭載室ＭＲと、動力搭載室ＭＲと隔壁６を介して配置される車室Ｒとを有する自動車からなる。この自動車は、例えば、ＦＲ（フロントエンジン・リヤドライブ）タイプ、ＦＦ（フロントエンジン・フロントドライブ）タイプ、四輪駆動タイプ等の自動車が含まれる。
【００２１】
なお、本発明が適用される車両Ｃ１としては、車体１の左右外側に配置される左右一対のサイドシル１０と、このサイドシル１０の車体中央側に配置されるフロアフレーム１７とを有するものであればよい。以下、ＦＲタイプの自動車に対し、本実施形態に係る車体下部構造が適用された場合を例に挙げて説明する。
【００２２】
図１に示されるように、車体１は、車両Ｃ１の全体を形成するものであって、例えば、サイドシル１０やフロアフレーム１７やフロントサイドフレーム３等の種々の金属製車体フレームと、図示しないボンネット、フェンダパネル等の金属製車体パネルと、樹脂製又は金属製のバンパフェイス等を主として備えている。
【００２３】
車体１の車体前部１ａ及び車体下部１ｂは、それぞれ後記するフロントバルクヘッド２、図示しないバンパビーム、フロントサイドフレーム３、ウインドシールドロア４、フロントホイールハウスアッパメンバ５、隔壁６、フロントピラ７、サイドシル１０、補強フレーム１２、フロアフレーム１７、ジャッキアップ補強プレート１３、アウトリガ２０（図４参照）、ダッシュボードクロスメンバ１６等が左右一対に前後方向に延設されるか、又は、横設されて、略左右対称に配置されている。このように車体下部１ｂは、略左右対称に配置されるため、以下、車体１の左側の部分を主として説明し、車体１の右側の部分の説明を省略する。
【００２４】
動力搭載室ＭＲは、例えば、電動モータ、エンジン、トランスミッション等から構成されるパワーユニット（図示せず）が配置される収納空間であり、その周辺に配置されるフレームとパネル部材とによって形成されている。動力搭載室ＭＲは、前側にフロントバルクヘッド２、図示しないバンパビーム等が配置され、後方側に隔壁６が配置される。また、動力搭載室ＭＲの上方側の左右には、フロントホイールハウスアッパメンバ５、フロントピラ７等が配置されている。動力搭載室ＭＲの下方側の左右には、車体１の前後方向に向けて延在する一対のフロントサイドフレーム３が配置されている。
【００２５】
図１に示されるように、フロントバルクヘッド２は、動力搭載室ＭＲの車体前側部位の図示しないラジエータを囲繞するように略矩形状の枠体からなるフレーム部材であり、全体が車幅方向に向けて配置されている。
【００２６】
図１に示されるように、フロントサイドフレーム３は、車体前部１ａに配置され、車体１の前後方向に延在する左右一対のフレーム部材であり、例えば、前端から後端にわたって剛性を有する断面矩形状（角筒状）のスチール製角パイプ材等によって構成される。フロントサイドフレーム３の先端には、図示しないバンパビームエクステンションを介してバンパビームが連結されている。フロントサイドフレーム３の後端部には、後方に向けてフロアフレーム１７が連設されると共に、このフロントサイドフレーム３、３間には、隔壁６が架設されている。
【００２７】
フロントホイールハウスアッパメンバ５は、動力搭載室ＭＲの車体側部上側に車体前後方向に向けて配置されたフレーム部材である。フロントホイールハウスアッパメンバ５は、前端がフロントバルクヘッド２のヘッドアッパサイドに連結され、後端がフロントピラ７に連結されている。
【００２８】
図１に示されるように、隔壁６は、動力搭載室ＭＲと車室Ｒとの仕切る仕切り部材であり、例えば、鋼板等からなるダッシュボードアッパ６ａと、左右端部がサイドシル１０の内側側壁に接合されたダッシュボードロア６ｂと、フレーム部材からなるダッシュボードクロスメンバ１６と、補強用の補強部材等によって構成される。
【００２９】
フロントピラ７は、車体下部１ｂに配置されたサイドシル１０の前端部１０ｃ（潰し領域Ｓ）からその上方の図示しないフロントガラスの左右側部まで延設されるフレーム部材である。後記するように、フロントピラインナ７ａの下端には、ジャッキアップ補強プレート１３の上端が接合される（図４参照）。
【００３０】
図１に示されるように、サイドシル１０は、フロントピラ７の下端部から車体１のフロアパネル１８の車幅方向外側の端部に沿って車体前後方向に延設され、縦断面視して略矩形からなる鋼板等の金属板で形成された中空フレーム部材である。サイドシル１０は、車体内側に配置され縦断面視して略コ字状の高強度鋼板製のサイドシルインナ１０ａと、車体外側に配置され縦断面視して略コ字状のサイドシルアウタ１０ｂとの間で閉断面３４を形成するように接合されている（図６参照）。
【００３１】
また、図６に示されるように、サイドシルインナ１０ａは、上部側のサイドシルインナアッパ１１ａと、下部側のサイドシルインナロア１１ｂとに二分割されて構成される。本実施形態では、サイドシルインナアッパ１１ａとサイドシルインナロア１１ｂとの間にフロアパネル１８が挟み込まれて挟持され、サイドシルインナアッパ１１ａ、フロアパネル１８、及び、サイドシルインナロア１１ｂによって積層された３枚の部材が、例えば、スポット溶接等で接合されることで、ナローオフセット衝突時におけるせん断荷重の耐力を高めてサイドシルインナ１０ａの車室内側への変形を抑制することができる。
【００３２】
さらに、図２に示されるように、サイドシルインナ１０ａ（サイドシルインナアッパ１１ａ）には、前後方向に沿って延在する変形抑制部材２２が設けられる。変形抑制部材２２の前後方向の前端は、延長されて潰し領域Ｓ（図４参照）の略中央部まで延在し、変形抑制部材２２の後端は、サイドシルインナ１０ａの後端まで延在するように設けられる。この変形抑制部材２２を設けることで、後記する変形部材２４の車室内側への曲げ変形を抑制することができる。
【００３３】
図４及び図５に示されるように、サイドシル１０の前端部１０ｃの最も前方の位置には、潰し領域Ｓが設けられ、この潰し領域Ｓには、ジャッキアップ補強プレート１３と変形部材２４とが一体的に結合されて設けられる。潰し領域Ｓの後方には、バルクヘッド２６、及び、サイドシル補強ブラケット２８が内設されている。
【００３４】
サイドシル１０の前端部１０ｃの前側は、フロントピラ７の下端に連結され、フロントサイドフレーム３の後端部には、略直交する車幅方向に沿ってアウトリガ２０が連結されている（図４参照）。また、サイドシル１０の前端部１０ｃ内には、後記する潰し領域Ｓの後方に、サイドシル１０内を前後方向に仕切るようにしてバルクヘッド２６が設けられている。サイドシル１０の車室側の側面は、それぞれ車幅方向に向けて配置されたダッシュボードクロスメンバ１６、アウトリガ２０、及び、補強フレーム１２が接合されて、フロアパネル１８の左右端部を保持している。
【００３５】
図５に示されるように、バルクヘッド２６は、潰し領域Ｓの後側のサイドシル１０の前端部１０ｃを補強するための補強部材であり、サイドシル１０に節目を形成するように配置された金属製板部材からなる。バルクヘッド２６は、特に、ナローオフセット衝突のとき、サイドシルインナ１０ａのコ字状の縦断面が開いたり窪んだりして潰れることを防止するために設けられている。バルクヘッド２６には、サイドシルインナ１０ａ内を前後方向に区画するように配置された仕切り面２６ａと、この仕切り面２６ａの外周縁に折曲して形成された鍔部２６ｂとが形成されている。
【００３６】
このバルクヘッド２６は、ナローオフセット衝突した際、サイドシルインナ１０ａを車室側から支えて衝突荷重で断面変形するのを抑制して潰し領域Ｓに衝突荷重を集中させると共に、サイドシル１０に付与された衝突荷重を補強フレーム１２に逃がして分散させる機能を有する。
【００３７】
潰し領域Ｓは、例えば、対向車等の衝突物が車両Ｃ１に衝突したとき、衝突荷重を受けて潰れることで衝突荷重を吸収するように形成された部位である。潰し領域Ｓは、サイドシル１０の前端から所定距離だけ後方位置に補強フレーム１２を結合し、その結合部より前方の前端部１０ｃの強度を、結合部より後方のサイドシル１０と補強フレーム１２とを組み合わせた強度よりも小さく設定されている。
【００３８】
潰し領域Ｓは、前後方向の範囲がサイドシル１０に設置されたバルクヘッド２６の設置位置（結合部）からサイドシル１０の前端までで、上下方向の範囲がサイドシル１０の下端から上端までの範囲で構成される。潰し領域Ｓでは、車体１を上昇させる際に用いられる図示しないジャッキをセットする箇所を補強するジャッキアップ補強プレート１３が設けられている。
【００３９】
図３及び図５に示されるように、ジャッキアップ補強プレート１３は、例えば、上下方向に向けて長軸が形成された略楕円形状の貫通孔３０を複数並設して形成するなどして上下方向の荷重に対して強くし、ナローオフセット衝突の際に潰れ易いように、前後方向の荷重に対して弱い金属製板材によって形成されている。
【００４０】
側面視して略矩形状に形成されたジャッキアップ補強プレート１３の上端は、フロントピラインナ７ａの下端に接合され（図５参照）、このジャッキアップ補強プレート１３の下端は、サイドシルインナ１０ａの前端部の車外側側面に設けられた下フランジ３２に接合される（図６参照）。なお、図５中において、「×」印は、例えば、スポット溶接をした場合の接合部位をそれぞれ示している。
【００４１】
このように構成することで、フロントピラインナ７ａの下端とサイドシル１０の前端とによって形成される角部に潰し領域Ｓが設けられ、ナローオフセット衝突のとき、この潰し領域Ｓに内設されるジャッキアップ補強プレート１３及び変形部材２４が一体的に曲げ変形することにより衝突エネルギの吸収量を増加させることができる。この点については、後記で詳細に説明する。
【００４２】
ジャッキアップ補強プレート１３の車外側の側面には、縦断面ハット形状（図６参照）からなる変形部材２４が一体的に接合される。この変形部材２４は、例えば、縦断面（垂直断面）が略ハット形状に折り曲げて形成された折り曲げプレートからなり、前後方向に延在する一定断面の閉断面３４が形成される。この折り曲げプレートの中心軸は、前輪Ｔの中心Ｏと略同一の高さからなり、前後方向に沿って所定長だけ延在するように設けられる（図４参照）。
【００４３】
図５に示されるように、変形部材２４は、ジャッキアップ補強プレート１３の側面に対し上下方向の位置で接合される一対の上側接合用フランジ部２４ａ及び下側接合用フランジ部２４ｂと、前記上側及び下側接合用フランジ部２４ａ、２４ｂにそれぞれ連続しジャッキアップ補強プレート１３の側面との間で閉断面３４を形成する突条中空部２４ｃとを有する。
【００４４】
変形部材２４をハット断面形状とすることにより、ジャッキアップ補強プレート１３の上下方向と前後方向との間で強弱差をつけることができ、衝突エネルギ吸収性能と軽量化とジャッキアップ機能とを両立させることができる。
【００４５】
なお、本実施形態では、変形部材２４として縦断面ハット形状からなる折り曲げプレートをその一例として示しているが、これに限定されるものではなく、例えば、前後方向に沿って延在し一定断面からなる閉断面３４を形成するものであればよく、例えば、突条中空部２４ｃが、縦断面Ｖ字状、縦断面コ字状、縦断面Ｗ字状、縦断面半円状、縦断面円弧状、縦断面半楕円形状等の種々の形状が含まれる。
【００４６】
図１及び図２に示されるように、補強フレーム１２は、衝突物が車両Ｃ１にナローオフセット衝突した際、サイドシル１０が変形して内倒れしないように、サイドシル１０の車室内側の側面を保持して衝突荷重を受け止めるための補強用のフレーム部材である。この補強フレーム１２は、縦断面視して略ハット形状にプレス等で折曲形成された鋼板からなる。補強フレーム１２の一端側は、バルクヘッド２６に内設されたサイドシル１０の設置部位の車室内側の外面に接合され、その接合部位から車幅方向の内側且つ後方に傾斜して設けられる。補強フレーム１２の他端側は、フロアフレーム１７に接合される。
【００４７】
図１に示されるように、サイドシル１０の前端のサイドシルインナ１０ａには、ダッシュボードクロスメンバ１６が接合される。このダッシュボードクロスメンバ１６は、左右両側のサイドシル１０、１０間に車幅方向に沿って横架された横架部材であり、下側が開口し、縦断面が略ハット形状の剛性を有する鋼板等の金属製厚板材によって形成される。
【００４８】
このダッシュボードクロスメンバ１６は、前後下端部及び左右端部に、接合用及び補強用のフランジ部１６ａが形成されている。具体的には、左右両端部に形成された接合用フランジ部１６ａがサイドシル１０の内側の側面に接合され、下面の接合用フランジ部１６ｂがダッシュボードロア６ｂに接合されて、車幅方向に沿って延設されている。
【００４９】
一対のサイドシル１０、１０の前端のサイドシルインナ１０ａ、１０ａの間にダッシュボードクロスメンバ１６が結合されることにより、ナローオフセット衝突時における前輪Ｔの車室内側への進入量を減少させることができる。
【００５０】
図１に示されるように、フロアクロスメンバ１９は、左右のサイドシル１０、１０とトンネル部１ｃとの間にそれぞれ架設された縦断面が略ハット形状の鋼板からなるフレーム部材である。各フロアクロスメンバ１９の車幅方向の略中央部下面には、それぞれフロアフレーム１７が直交するように配置されている。
【００５１】
図１に示されるように、フロアフレーム１７は、車体フロアのフロアパネル１８を保持する縦断面が略ハット形状のフレーム部材であり、フロアパネル１８のフロア面の上下両面の同じ位置にそれぞれ接合されている。フロアフレーム１７は、前端がフロントサイドフレーム３の後部に連結され、車体中央側が補強フレーム１２の車内側接合部及びフロアクロスメンバ１９の下面に連結され、後端は外側に折れ曲がり車体外側が左右のサイドシル１０の車室側の側面に接合されている。
【００５２】
図１に示されるように、フロアパネル１８は、車室Ｒとフロア面を形成する金属製板部材であり、サイドシル１０とトンネル部１ｃとの間に架設されている。
【００５３】
本実施形態に係る車体下部構造が適用された車両Ｃ１は、基本的に以上のように構成されるものであり、次にその作用効果について説明する。
【００５４】
図７（ａ）は、本実施形態に係る車体下部構造が適用された車両が、電柱に対してナローオフセット衝突したときの初期状態を示す斜視図、図７（ｂ）は、前記車両がナローオフセット衝突したときの後期状態を示す斜視図、図８は、本実施形態に係る車体下部構造が適用された車両において、ナローオフセット衝突時にジャッキアップ補強プレートよりも先に変形部材が変形する状態を示す斜視図である。
【００５５】
図７（ａ）、（ｂ）に示されるように、本実施形態に係る車両Ｃ１が、例えば、衝突物である電柱Ｐとナローオフセット衝突した場合、車両Ｃ１は、車体前部左側のフロントバルクヘッド２の左端部とフロントサイドフレーム３の外側を通り、フロントホイールハウスアッパメンバ５、前輪Ｔ、フロントピラ７、サイドシル１０の前端部１０ｃ及びジャッキアップ補強プレート１３が、当接した電柱Ｐによって車両後方に押圧されて圧潰される。特に、電柱Ｐは、サイドシル１０の前方にある前輪ＴのホイールＷを押圧し、続いて、そのホイールＷがサイドシル１０の前端部１０ｃを後方側に向かって押圧する。
【００５６】
本実施形態では、前輪ＴのホイールＷがサイドシル１０の前端部１０ｃに設けられたジャッキアップ補強プレート１３を押圧する際、前輪Ｔの中心Ｏ（図４参照）と略同一の高さで前後方向に沿って延在する変形部材２４が配置されているため、前輪Ｔの後方端面による押圧力によって先に変形部材２４が曲げ変形する（図８参照）。次いで、前輪Ｔの後方端面を除いた前輪Ｔの後面によりジャッキアップ補強プレート１３が変形する（図７（ｂ）参照）。この結果、本実施形態では、ナローオフセット衝突時におけるエネルギ吸収量を従来と比較して増加させつつ、潰し領域Ｓの後方部位の変形を抑制することができる。
【００５７】
換言すると、本実施形態では、ナローオフセット衝突時において、潰し領域Ｓに設けられたジャッキアップ補強プレート１３に衝突荷重が付与される際、図８に示されるように、ジャッキアップ補強プレート１３よりも先に変形部材２４に対して衝突荷重が付与され、閉断面３４を有し衝撃荷重が付与される方向と同方向に延在する前記変形部材２４によって衝突荷重を吸収することができる。このため、本実施形態では、従来と比較して変形部材２４によって衝突荷重が吸収される分だけナローオフセット衝突時におけるエネルギ吸収量をより一層向上させることができると共に、潰し領域Ｓの後方部位の変形を抑制することができる。
【００５８】
さらに、サイドシル１０の前端部１０ｃの近傍部位には、前端に潰し領域Ｓが形成されて衝突荷重の吸収性が向上し、潰し領域Ｓの後方位置にバルクヘッド２６及びサイドシル補強ブラケット２８が内設されて強度・剛性が向上している。さらにまた、バルクヘッド２６の設置部の車室側が補強フレーム１２によって支えられて、サイドシル１０が車室側へ折れ曲がることが抑制されている。このため、サイドシル１０は、バルクヘッド２６の設置部位及び補強フレーム１２の連結部位の強度が、それよりも前側にある潰し領域Ｓよりも強度が強く設定されている。
【００５９】
この結果、サイドシル１０は、バルクヘッド２６の設置部位よりも前側の前端部１０ｃの潰し領域Ｓにおいて、衝突荷重で局部的に押し潰されることで衝突荷重を吸収し、バルクヘッド２６の設置部位よりも後方側が変形することを好適に抑制することができる。
【００６０】
なお、衝突荷重でサイドシル１０、１０の前端部１０ｃの潰し領域Ｓが局部的に押し潰された場合であっても、サイドシル１０、１０の前端部１０ｃのサイドシルインナ１０ａ、１０ａの間にダッシュボードクロスメンバ１６が結合されることにより、ナローオフセット衝突時における前輪Ｔの車室内側への進入量を減少させることができる。
【００６１】
さらにまた、サイドシル１０の前端部１０ｃに付与された衝突荷重は、バルクヘッド２６の設置部位の強度が強く、その部位から斜め後方に向けて補強フレーム１２が連結されていることにより、サイドシル１０と補強フレーム１２に伝達されて分散され、補強フレーム１２側に分散した衝突荷重がフロアフレーム１７に伝達される。つまり、サイドシル１０の前端部１０ｃに付与された衝突荷重は、サイドシル１０のバルクヘッド２６の設置位置によって受け止められて、サイドシル１０が折れ曲がるのを防止することができる。
【００６２】
このため、潰し領域Ｓの後方のサイドシル１０上にあるドア開口部は、サイドシル１０が折れないため、図示しないフロントサイドドアが開き難くなることが抑制されて、ドア開口部の形状が維持されて、ナローオフセット衝突後もドアの開閉が可能な状態となっている。また、サイドシル１０は、前端部１０ｃの潰し領域Ｓが衝突荷重で変形するものの、前端部１０ｃのバルクヘッド２６の設置位置よりも後方側部位で変形し難い構造となっているため、ドア開口部の形状が変形するのを抑制することができる。
【００６３】
さらにまた、補強フレーム１２は、一端がサイドシル１０に結合されて、他端がフロアフレーム１７に接合して両者間に架設されているので、車室Ｒのフロア面をしっかり保持することができる。
【００６４】
以上から、本実施形態に係る車体下部構造では、ナローオフセット衝突した際、サイドシル１０の前端部１０ｃの潰し領域Ｓによる衝突荷重のより一層の吸収性の向上と、バルクヘッド２６による潰し領域Ｓの後方部位の強度向上と、バルクヘッド２６の設置部位の車室側を支える補強フレーム１２及び前端部１０ｃのサイドシルインナ１０ａを支持して前輪Ｔの車室内側への進入を抑制するダッシュボードクロスメンバ１６によるサイドシル１０の倒れ防止とによって、サイドシル１０の前端部１０ｃの変形を促進させて衝撃荷重吸収性を向上させると共に、車室Ｒの形状及びドアの開閉に影響を与えることを回避することができる。
【符号の説明】
【００６５】
１      車体
１ｂ    車体下部
７ａ    フロントピラインナ
１０    サイドシル
１０ａ  サイドシルインナ
１０ｃ  前端部
１２    補強フレーム
１３    ジャッキアップ補強プレート
１６    ダッシュボードクロスメンバ
１７    フロアフレーム
２２    変形抑制部材
２４    変形部材
２６    バルクヘッド
３２    下フランジ
３４    閉断面
Ｃ１    車両
Ｓ      潰し領域
Ｔ      前輪
Ｏ      中心
【図１】
0005846952.tif 000002
【図２】
0005846952.tif 000003
【図３】
0005846952.tif 000004
【図４】
0005846952.tif 000005
【図５】
0005846952.tif 000006
【図６】
0005846952.tif 000007
【図７】
0005846952.tif 000008
【図８】
0005846952.tif 000009
【図９】
0005846952.tif 000010
【図１０】
0005846952.tif 000011